(57)【要約】【課題】感光ドラムを確実に位置決めすることができるドラムカートリッジを提供すること。【解決手段】  複数のコイルばね９０のそれぞれは、左内側板４５Ｌと複数の感光ドラム２のそれぞれとの間に位置している。複数の駆動受け部６０のそれぞれは、複数の本体側駆動部１００それぞれと連結することで押圧力を受け取り、複数の感光ドラム２のそれぞれを右方に向けて押圧する。また、複数のコイルばね９０のそれぞれは、複数の感光ドラム２のそれぞれを右方に向けて付勢する。これにより、複数の感光ドラム２のそれぞれが左右方向において確実に位置決めされる。【選択図】図７
2015055704.tif 000002
【特許請求の範囲】
【請求項１】
本体側駆動部を備える画像形成装置本体に着脱可能なドラムカートリッジにおいて、
感光ドラムと、
前記感光ドラムの回転軸線方向において前記感光ドラムに対して一方に配置される第１側壁と、前記回転軸線方向において前記感光ドラムに対して他方に配置される第２側壁と、を有する筐体と、
前記本体側駆動部と連結する駆動受け部と、前記筐体の前記第１側壁に支持される支持部と、を有し、前記感光ドラムの一端に取り付けられるフランジと、
前記感光ドラムを前記回転軸線方向の他方に向けて付勢している付勢部材と、を備え、
前記付勢部材は、前記筐体の前記第１側壁と前記感光ドラムとの間に配置されていることを特徴とする、ドラムカートリッジ。
【請求項２】
前記付勢部材は、線材が巻回されることにより構成されるコイルばねであることを特徴とする、請求項１に記載のドラムカートリッジ。
【請求項３】
前記フランジの一部は、前記コイルばねの巻回部の内方に位置することを特徴とする、請求項２に記載のドラムカートリッジ。
【請求項４】
前記コイルばねの一端部は、前記フランジに当接することを特徴とする、請求項３に記載のドラムカートリッジ。
【請求項５】
前記フランジは、前記コイルばねの一端部と当接し、前記コイルばねの一端部を収容する溝を有することを特徴とする、請求項４に記載のドラムカートリッジ。
【請求項６】
前記コイルばねの他端部は、前記筐体の前記第１側壁に固定されることを特徴とする、請求項４または５に記載のドラムカートリッジ。
【請求項７】
前記第１側壁から前記感光ドラムに向かう方向における前記コイルばねの巻回方向は、前記感光ドラムの回転方向と反対方向であることを特徴とする、請求項２ないし６のいずれか一項に記載のドラムカートリッジ。
【請求項８】
前記コイルばねは、前記フランジの外周面と間隔を隔てて位置することを特徴とする、請求項３ないし７のいずれか一項に記載のドラムカートリッジ。
【請求項９】
前記コイルばねは、
前記フランジに接触するフランジ側接触部と、
前記第１側壁に接触する側壁側接触部とを備え、
前記回転軸線方向において、前記コイルばねの隣接する線材と線材との間隔は、負荷がない自由長さのときに隣接する線材と線材との間隔よりも小さいことを特徴とする、請求項３ないし８のいずれか一項に記載のドラムカートリッジ。
【請求項１０】
前記感光ドラムを、前記回転軸線方向と直交する方向に押圧している押圧部材をさらに備えることを特徴とする、請求項１ないし９のいずれか一項に記載のドラムカートリッジ。
【請求項１１】
前記第１側壁に取り付けられ、前記支持部が支持される軸受部材をさらに備えることを特徴とする、請求項１ないし１０のいずれか一項に記載のドラムカートリッジ。
【発明の詳細な説明】
【技術分野】
【０００１】
本発明は、電子写真方式が採用される画像形成装置に装着されるドラムカートリッジに関する。
【背景技術】
【０００２】
電子写真方式が採用される画像形成装置として、トナーに対応して１ないし複数の感光体を備えるレーザプリンタが知られている。
【０００３】
このようなレーザプリンタに装着されるドラムユニットとして、たとえば、感光ドラムの両端部に取り付けられるフランジ部材と、フランジ部材を回転可能に支持する軸受とを備えるドラムユニットが知られている。例えば、このドラムユニットでは、各フランジ部材の外周面にそれぞれコイルばねを巻回している。各コイルばねは、感光ドラムの回転方向と反対方向に巻回されており、その一端がドラムユニットの筐体に係止されている。そして、感光ドラムを回転させると、各コイルばねが係止端部を支点として揺動する。その結果、感光ドラムの両端部が径方向に付勢され、感光ドラムが軸受に対して位置決めされる（例えば、特許文献１参照）。
【先行技術文献】
【特許文献】
【０００４】
【特許文献１】特開２０１２−７３４４５号公報
【発明の概要】
【発明が解決しようとする課題】
【０００５】
しかるに、上記特許文献１に記載のドラムユニットでは、感光ドラムを確実に位置決めできないおそれがある。たとえば、感光ドラムを位置決めするために、感光ドラムを径方向に強く付勢することが検討されるが、感光ドラムを径方向に強く付勢すると、感光ドラムと軸受との間の摩擦力が増える。その結果、感光ドラムの軸方向における移動が困難となるため、軸方向において感光ドラムを精度良く位置決めできなくなるおそれがある。
【０００６】
そこで、本発明の目的は、感光ドラムを確実に位置決めすることができるドラムカートリッジを提供することにある。
【課題を解決するための手段】
【０００７】
（１）上記目的を達成するために、本発明のドラムカートリッジは、本体側駆動部を備える画像形成装置本体に着脱可能なドラムカートリッジにおいて、感光ドラムと、感光ドラムの回転軸線方向において感光ドラムに対して一方に配置される第１側壁と、回転軸線方向において感光ドラムに対して他方に配置される第２側壁と、を有する筐体と、本体側駆動部と連結する駆動受け部と、筐体の第１側壁に支持される支持部と、を有し、感光ドラムの一端に取り付けられるフランジと、感光ドラムを回転軸線方向の他方に向けて付勢している付勢部材と、を備える。付勢部材は、筐体の第１側壁と感光ドラムとの間に配置されている。
【０００８】
このような構成によれば、フランジの駆動受け部は、本体側駆動部と連結するときに、本体側駆動部からの押圧力を受ける。また、付勢部材は、感光ドラムを回転軸線方向の他方に向けて付勢する。
【０００９】
そのため、感光ドラムを、本体側駆動部からの押圧力および付勢部材の付勢力の両方により、回転軸線方向の他方に向けて押圧することができる。
【００１０】
その結果、感光ドラムを回転軸線方向において確実に位置決めできる。
（２）また、付勢部材は、線材が巻回されることにより構成されるコイルばねであってもよい。
【００１１】
このような構成によれば、簡易な構成で感光ドラムを回転軸線方向の他方に向けて押圧できる。
（３）また、フランジの一部は、コイルばねの巻回部の内方に位置してもよい。
【００１２】
このような構成によれば、フランジの周囲においてコイルばねを効率良く配置できる。
【００１３】
また、コイルばねの軸心と感光ドラムの軸心とを一致させることができ、コイルばねにより感光ドラムを安定して回転軸線方向の他方に向けて付勢できる。
（４）また、コイルばねの一端部は、フランジに当接してもよい。
【００１４】
このような構成によれば、感光ドラムが回転すると、感光ドラムと一体的にフランジが回転し、コイルばねの一端部がフランジに摺接する。
【００１５】
そのため、コイルばねの一端部とフランジとの間に摩擦力が発生し、感光ドラムの回転速度の変動を抑制できる。
（５）また、フランジは、コイルばねの一端部と当接し、コイルばねの一端部を収容する溝を有してもよい。
【００１６】
このような構成によれば、コイルばねの一端部は、フランジの溝に沿うように案内される。
【００１７】
そのため、感光ドラムが回転することによりコイルばねの位置がずれることを抑制できる。
（６）また、コイルばねの他端部は、筐体の第１側壁に固定されてもよい。
【００１８】
このような構成によれば、コイルばねの他端部は、筐体の第１側壁に固定され、コイルばねの一端部は、フランジに当接する。
【００１９】
そのため、感光ドラムと一体的にフランジが回転すると、コイルばねは、筐体に対して固定されつつ、その一端部がフランジに摺接する。
【００２０】
その結果、コイルばねとフランジとの間に確実に摩擦力を発生させることができる。
（７）また、第１側壁から感光ドラムに向かう方向におけるコイルばねの巻回方向は、感光ドラムの回転方向と反対方向であってもよい。
【００２１】
このような構成によれば、フランジがコイルばねによって締め付けられることを抑制できる。
【００２２】
その結果、感光ドラムのトルクが過度に大きくなることを抑制できる。
（８）また、コイルばねは、フランジの外周面と間隔を隔てて位置してもよい。
【００２３】
このような構成によれば、コイルばねがフランジの外周面と接触することを抑制できる。
【００２４】
そのため、コイルばねによって感光ドラムを回転軸線方向の他方に向けて効率的に押圧できる。
（９）また、コイルばねは、フランジに接触するフランジ側接触部と、第１側壁に接触する側壁側接触部とを備えてもよい。回転軸線方向において、コイルばねの隣接する線材と線材との間隔は、負荷がない自由長さのときに隣接する線材と線材との間隔よりも小さくてもよい。
【００２５】
このような構成によれば、コイルばねは、自由長さよりも収縮した状態で、フランジと第１側壁との間に配置される。
【００２６】
そのため、コイルばねの弾性力を確保できる。
（１０）また、感光ドラムを、回転軸線方向と直交する方向に押圧している押圧部材をさらに備えてもよい。
【００２７】
このような構成によれば、回転軸線方向と直交する方向において、感光ドラムを押圧部材により押圧して位置決めできる。
【００２８】
そのため、感光ドラムが回転軸線方向と直交する方向においてがたつくことを抑制できる。
（１１）また、第１側壁に取り付けられ、支持部が支持される軸受部材をさらに備えてもよい。
【００２９】
このような構成によれば、軸受部材によって感光ドラムを安定的に軸支できる。
【発明の効果】
【００３０】
本発明のドラムカートリッジでは、感光ドラムを確実に位置決めできる。
【図面の簡単な説明】
【００３１】
【図１】図１は、本発明のドラムカートリッジの一実施形態を示す斜視図である。
【図２】図２は、図１に示すドラムカートリッジから外側板を取り外した状態を示す平面図である。
【図３】図３は、図１に示すドラムカートリッジが装着されるカラーレーザプリンタの中央断面図である。
【図４】図４は、図２に示すドラムカートリッジにおいて、内側板に支持されるドラムサブユニットおよび感光ドラムを示す斜視図である。
【図５】図５は、図４のＡ−Ａ断面図である。
【図６】図６は、図２に示すドラムカートリッジにおいて、内側板に支持される感光ドラムを示す斜視図である。
【図７】図７は、図６のＢ−Ｂ断面図である。
【図８】図６に示すドラムカートリッジの左端部を拡大した断面図である。
【図９】図９は、内側板に対する感光ドラムの組み付け状態を示す斜視図である。
【図１０】図１０は、図１に示すドラムカートリッジの変形例を示す背面図である。
【発明を実施するための形態】
【００３２】
１．ドラムカートリッジの概略
図１および図２に示すように、ドラムカートリッジ１は、複数の感光ドラム２と、複数のスコロトロン型帯電器３とを備えている。
【００３３】
なお、以下の説明において、ドラムカートリッジ１の方向に言及するときには、ドラムカートリッジ１を水平に載置した状態を上下の基準とする。すなわち、図１の紙面上方が上方であり、紙面下方が下方である。また、図１の紙面左下方が前方であり、図１の紙面右上方が後方である。また、ドラムカートリッジ１を前方から見たときを左右の基準とする。すなわち、図１の紙面左上方が左方であり、紙面右下方が右方である。
【００３４】
複数の感光ドラム２のそれぞれは、イエロー、マゼンタ、シアン、ブラックのそれぞれに対応している。複数の感光ドラム２のそれぞれは、ドラムカートリッジ１の下端部において、左側面視時計周りに回転するように支持されている。複数の感光ドラム２のそれぞれは、前方から後方に向かって、イエロー、マゼンタ、シアン、ブラックの順に互いに間隔を隔てて並列配置されている。複数の感光ドラム２のそれぞれは、左右方向に延びる略円筒形状を有している。
【００３５】
複数のスコロトロン型帯電器３のそれぞれは、複数の感光ドラム２のそれぞれに対応し、対応する感光ドラム２の後上方に間隔を隔てて位置している。
２．ドラムカートリッジの使用態様
図３に示すように、ドラムカートリッジ１は、画像形成装置の一例としてのプリンタ１０に装着されて使用される。
【００３６】
プリンタ１０は、装置本体の一例としての本体ケーシング１１と、プロセスカートリッジ５と、スキャナユニット２１と、転写ユニット２２と、定着ユニット２３とを備えている。
【００３７】
本体ケーシング１１は、側面視略矩形状のボックス状に形成されている。本体ケーシング１１は、フロントカバー１４と、給紙トレイ１５と、排紙トレイ３１とを備えている。
【００３８】
フロントカバー１４は、本体ケーシング１１の前側の壁に備えられており、本体ケーシング１１に対して下端部を支点として揺動自在である。
【００３９】
給紙トレイ１５は、本体ケーシング１１内の底部に位置し、用紙Ｐを収容している。
【００４０】
排紙トレイ３１は、本体ケーシング１１の上壁の前側半分に位置している。排紙トレイ３１は、用紙Ｐが載置されるように、本体ケーシング１１の上面から下方に凹んでいる。
【００４１】
プロセスカートリッジ５は、本体ケーシング１１の中央に位置している。プロセスカートリッジ５は、上記したドラムカートリッジ１と、複数の現像カートリッジ４とを備えている。
【００４２】
複数の現像カートリッジ４のそれぞれは、複数の感光ドラム２のそれぞれに対応し、対応する感光ドラム２の上方に位置している。複数の現像カートリッジ４のそれぞれは、現像ローラ６と、供給ローラ７とを備えている。また、現像カートリッジ４は、現像ローラ６および供給ローラ７の上方の空間において、各色に対応するトナーを収容している。
【００４３】
現像ローラ６は、現像カートリッジ４の下端部において、後方へ露出するように回転可能に支持されている。現像ローラ６は、感光ドラム２の前上端部に接触している。
【００４４】
供給ローラ７は、現像ローラ６の前上方に位置している。供給ローラ７は、現像ローラ６の前上端部に接触している。
【００４５】
スキャナユニット２１は、本体ケーシング１１の上端部に位置している。スキャナユニット２１は、実線で示すように、複数の感光ドラム２に向けて、画像データに基づくレーザビームを照射するように構成されている。
【００４６】
転写ユニット２２は、プロセスカートリッジ５の下方に位置している。転写ユニット２２は、駆動ローラ２４と、従動ローラ２５と、搬送ベルト２６と、複数の転写ローラ２７とを備えている。
【００４７】
駆動ローラ２４は、転写ユニット２２の後端部に位置している。
【００４８】
従動ローラ２５は、駆動ローラ２４の前方に間隔を隔てて位置し、転写ユニット２２の前端部に位置している。
【００４９】
搬送ベルト２６は、その上側部分がすべての感光ドラム２と接触するように、駆動ローラ２４および従動ローラ２５の周りに巻回されている。搬送ベルト２６は、駆動ローラ２４の駆動、および、従動ローラ２５の従動により、その上側部分が前方から後方へ向かって移動するように、周回移動される。
【００５０】
複数の転写ローラ２７のそれぞれは、複数の感光ドラム２のそれぞれに対応し、対応する感光ドラム２の下方において、搬送ベルト２６の上側部分を挟んで位置している。
【００５１】
定着ユニット２３は、転写ユニット２２の後方に位置し、加熱ローラ２８と、加熱ローラ２８に接触する加圧ローラ２９とを備えている。
【００５２】
そして、プリンタ１０が画像形成動作を開始すると、スコロトロン型帯電器３は、感光ドラム２の表面を一様に帯電する。スキャナユニット２１は、レーザビームにより感光ドラム２の表面を露光する。これにより、画像データに基づく静電潜像が、感光ドラム２の表面に形成される。
【００５３】
また、供給ローラ７は、現像カートリッジ４内のトナーを現像ローラ６に供給する。このとき、トナーは、供給ローラ７と現像ローラ６との間で正極性に摩擦帯電され、現像ローラ６上に担持される。
【００５４】
そして、現像ローラ６は、担持するトナーを感光ドラム２表面の静電潜像に供給する。これにより、トナー像が、感光ドラム２の表面に担持される。
【００５５】
用紙Ｐは、給紙トレイ１５から、各種ローラの回転により、所定のタイミングで１枚ずつ、イエローの感光ドラム２と対応する転写ローラ２７との間に給紙される。その後、用紙Ｐは、搬送ベルト２６によって、前方から後方に向かって搬送される。感光ドラム２上のトナー像は、用紙Ｐが感光ドラム２と転写ローラ２７との間を通過するときに、用紙Ｐに転写される。
【００５６】
その後、用紙Ｐは、加熱ローラ２８と加圧ローラ２９との間を通過するときに加熱および加圧される。これにより、用紙Ｐ上のカラー画像が用紙Ｐに熱定着される。
【００５７】
そして、用紙Ｐは、本体ケーシング１１内の後上部に位置する排紙ローラ３０によって、図示しないＵターンパスを通過するように搬送され、スキャナユニット２１の上方に位置する排紙トレイ３１上に排紙される。
３．ドラムカートリッジの詳細
図１および図２に示すように、ドラムカートリッジ１は、上記した複数の感光ドラム２および複数のスコロトロン型帯電器３の他に、筐体の一例としてのフレーム４１と、複数の軸受部材の一例としての軸受４３と、複数の付勢部材の一例としてのコイルばね９０とを備えている。
（１）フレーム
フレーム４１は、１対の内側板４５と、１対の外側板４６と、前板４７と、後板４８と、複数のドラムサブユニット４２とを備えている。
【００５８】
図６および図８に示すように、１対の内側板４５のそれぞれは、互いに左右方向に間隔を隔てて、フレーム４１の左右方向両端部のそれぞれに位置している。１対の内側板４５のそれぞれは、前後方向に長い側面視略矩形の平板形状を有している。１対の内側板４５のそれぞれは、同一のプレス型を用いて金属板をプレス加工することによって得られ、互いに略同一の形状を有している。１対の内側板４５のそれぞれは、複数の貫通穴５１と、複数の係合部５２とを有している。
【００５９】
以下の説明において、１対の内側板４５の左右に言及するときは、左方の内側板４５を左内側板４５Ｌとし、右方の内側板４５を右内側板４５Ｒとする。左内側板４５Ｌが第１側壁の一例であり、右内側板４５Ｒが第２側壁の一例である。左内側板４５Ｌは、複数の感光ドラム２のそれぞれに対して左方に位置し、右内側板４５Ｒは、複数の感光ドラム２のそれぞれに対して右方に位置している。
【００６０】
複数の貫通穴５１のそれぞれは、前後方向に互いに等間隔を隔てて位置している。複数の貫通穴５１のそれぞれは、複数の感光ドラム２のそれぞれに対応して、具体的には、４つ位置している。複数の貫通穴５１のそれぞれは、側面視略円形状を有している。
【００６１】
複数の係合部５２は、複数の上係合部５２Ａと、複数の下係合部５２Ｂとを有している。
【００６２】
複数の上係合部５２Ａのそれぞれは、複数の貫通穴５１のそれぞれの上方に位置している。複数の上係合部５２Ａのそれぞれは、内側板４５の上端縁から下方へ向かって切り欠かれる凹部である。複数の上係合部５２Ａのそれぞれは、側面視略矩形状を有している。
【００６３】
複数の下係合部５２Ｂのそれぞれは、複数の貫通穴５１のそれぞれの下方に位置している。複数の下係合部５２Ｂのそれぞれは、内側板４５の下端縁から上方に向かって切り欠かれる凹部である。複数の下係合部５２Ｂのそれぞれは、側面視略矩形状を有している。
【００６４】
左内側板４５Ｌは、複数のコイル係止溝５３を有している。
【００６５】
複数のコイル係止溝５３のそれぞれは、複数の貫通穴５１のそれぞれの後下方に位置し、複数の下係合部５２Ｂのそれぞれの後方に位置している。複数のコイル係止溝５３のそれぞれは、左内側板４５Ｌの下端縁から上方に向かって切り欠かれる溝である。
【００６６】
図１に示すように、１対の外側板４６のそれぞれは、１対の内側板４５のそれぞれに対して左右方向外方に位置している。１対の外側板４６のそれぞれは、樹脂からなり、１対の内側板４５のそれぞれよりも上下方向に幅広な側面視略矩形の平板形状を有している。
【００６７】
前板４７は、１対の内側板４５の前端部間に架設されている。
【００６８】
後板４８は、１対の内側板４５の後端部間に架設されている。
【００６９】
図１および図５に示すように、複数のドラムサブユニット４２のそれぞれは、１対の内側板４５の間に架設されている。複数のドラムサブユニット４２のそれぞれは、前板４７と後板４８との間において、複数の感光ドラム２のそれぞれの後方に位置している。複数のドラムサブユニット４２のそれぞれは、前後方向に互いに等間隔を隔てて並列するように位置している。
【００７０】
複数のドラムサブユニット４２のそれぞれは、左右方向に延びる側面視略三角形状を有している。複数のドラムサブユニット４２のそれぞれは、サブユニットフレーム６１と、１対の押圧部材６２とを備えている。
【００７１】
サブユニットフレーム６１は、左右方向に延びている。サブユニットフレーム６１は、スコロトロン型帯電器３を支持している。
【００７２】
１対の押圧部材６２のそれぞれは、サブユニットフレーム６１の下面の左右方向両端部のそれぞれに支持されている。
【００７３】
１対の押圧部材６２のそれぞれは、スポンジからなる略直方体形状を有している。１対の押圧部材６２のそれぞれは、感光ドラム２の左右方向両端部のそれぞれの外周面と、サブユニットフレーム６１との間に圧縮状態で配置されている。これにより、複数の押圧部材６２のそれぞれは、その弾性力により感光ドラム２の両端のそれぞれを前下方に押圧している。すなわち、複数の押圧部材６２のそれぞれは、複数の感光ドラム２のそれぞれを回転軸線方向と直交する方向に押圧している。
（２）感光ドラム
複数の感光ドラム２のそれぞれは、図７に示すように、ドラム本体５５と、ドラム本体５５の両端部に相対回転不能に嵌合される１対のフランジ部材５６とを備えている。
（２−１）ドラム本体
ドラム本体５５は、素管６３と、感光層６４と、アース板６６とを備えている。
【００７４】
素管６３は、金属からなり、左右方向に延びる略円筒形状を有している。
【００７５】
感光層６４は、素管６３の外周面に被覆されており、正帯電性の樹脂からなる。
【００７６】
アース板６６は、素管６３の内周面から、素管６３の径方向内方に向かって延びている。アース板６６は、金属からなり、略板形状を有している。
（２−２）フランジ部材
１対のフランジ部材５６のそれぞれは、樹脂材料からなり、素管６３の左右方向両端部のそれぞれに相対回転不能に嵌まっている。以下の説明において、１対のフランジ部材５６の左右に言及するときは、左方のフランジ部材５６を左フランジ部材５６Ｌとし、右方のフランジ部材５６を右フランジ部材５６Ｒとする。
【００７７】
左フランジ部材５６Ｌは、左大径部５７と、支持部の一例としての左小径部５９と、駆動受け部６０とを備えている。
【００７８】
左大径部５７は、左フランジ部材５６Ｌの右端部に位置している。左大径部５７は、左右方向外端部が閉鎖された略円筒形状を有している。左大径部５７の外径は、素管６３の内径とほぼ同じである。左大径部５７は、素管６３の左端部内に挿入されている。左大径部５７は、ガイド溝６５を有している。
【００７９】
ガイド溝６５は、左大径部５７の左端面から右方に向かって窪んでおり、左大径部５７の軸線と一致する中心を有する側面視略円環形状を有している。ガイド溝６５は、側面視において、左大径部５７の外周縁のやや内方に間隔を隔てて位置している。
【００８０】
左小径部５９は、左大径部５７の左面から左方に突出している。左小径部５９は、左大径部５７と軸線を共有する略円筒形状を有している。左小径部５９の外径は、左大径部５７の外径よりも小さい。ガイド溝６５は、側面視において、左小径部５９の外周縁のやや外方に間隔を隔ててガイド溝６５が位置している。
【００８１】
駆動受け部６０は、左小径部５９の左端縁に連続しており、側面視略円形状を有している。駆動受け部６０は、左小径部５９の左端縁を閉鎖している。駆動受け部６０は、その左端面に複数の結合溝６７を有している。
【００８２】
右フランジ部材５６Ｒは、右大径部７０と、右小径部７１とを備えている。
【００８３】
右大径部７０は、右フランジ部材５６Ｒの左端部に位置している。右大径部７０は、左右方向外端部が閉鎖された略円筒形状を有している。右大径部７０の外径は、素管６３の内径とほぼ同じである。右大径部７０は、素管６３の右端部内に挿入されている。
【００８４】
右小径部７１は、右大径部７０の右壁から右方に突出している。右小径部７１は、右大径部７０と軸線を共有する略円筒形状を有している。右小径部７１の外径は、右大径部７０の外径よりも小さい。
（３）軸受
複数の軸受４３は、複数の感光ドラム２のそれぞれに対応して、複数、具体的には、４つの左軸受４３Ｌと、複数、具体的には、４つの右軸受４３Ｒとを有している。
（３−１）左軸受
複数の左軸受４３Ｌのそれぞれは、左内側板４５Ｌの右方に位置している。複数の左軸受４３Ｌのそれぞれは、左筒部７５と、左鍔部７６とを備えている。
【００８５】
左筒部７５は、左右方向に延びる略円筒形状を有している。左筒部７５は、左右方向両端部が開放されている。左筒部７５の内径は、左フランジ部材５６Ｌの左小径部５９の外径とほぼ同じである。左筒部７５の外径は、左内側板４５Ｌの貫通穴５１の内径とほぼ同じである。左筒部７５は、左フランジ部材５６Ｌの左小径部５９に相対回転可能に嵌まるとともに、左内側板４５Ｌの貫通穴５１内に嵌まっている。
【００８６】
左鍔部７６は、左筒部７５の左右方向中央の外周面から径方向外方に突出し、左筒部７５の周方向に延びている。左鍔部７６は、略円環形状を有している。左鍔部７６は、１対の左係合部７７を有している。
【００８７】
左係合部７７のそれぞれは、左鍔部７６の上端部と下端部とに１つずつ位置している。上方の左係合部７７は、左鍔部７６の上端縁から上方に突出し、右方に屈曲している。上方の左係合部７７は、左内側板４５Ｌの上係合部５２Ａに係合している。下方の左係合部７７は、左鍔部７６の下端縁から下方に突出し、右方に屈曲している。下方の左係合部７７は、左内側板４５Ｌの下係合部５２Ｂに係合している。
（３−２）右軸受
複数の右軸受４３Ｒのそれぞれは、右内側板４５Ｒの左方に位置している。複数の右軸受４３Ｒのそれぞれは、右筒部８０と、右鍔部８３と、シャフト保持部８１とを備えている。
【００８８】
右筒部８０は、左右方向に延びる略円筒形状を有している。右筒部８０は、左端部が開放され、右端部が閉鎖されている。右筒部８０の内径は、右フランジ部材５６Ｒの右小径部７１の外径とほぼ同じである。右筒部８０の外径は、右内側板４５Ｒの貫通穴５１の内径とほぼ同じである。右筒部８０、右フランジ部材５６Ｒの右小径部７１に相対回転可能に嵌まるとともに、右内側板４５Ｒの貫通穴５１内に嵌まっている。
【００８９】
右鍔部８３は、右筒部８０の左右方向中央の外周面から径方向外方に突出し、右筒部８０の周方向に延びている。右鍔部８３は、略円環形状を有している。右鍔部８３は、１対の右係合部８７を有している。
【００９０】
右係合部８７のそれぞれは、右鍔部８３の上端部と下端部とに１つずつ位置している。上方の右係合部８７は、右鍔部８３の上端縁から上方に突出し、左方に屈曲している。上方の右係合部８７は、右内側板４５Ｒの上係合部５２Ａに係合している。下方の右係合部８７は、右鍔部８３の下端縁から下方に突出し、左方に屈曲している。下方の右係合部８７は、右内側板４５Ｒの下係合部５２Ｂに係合している。
【００９１】
シャフト保持部８１は、右筒部８０の空洞部分内に位置しており、右筒部８０の右壁に連続している。シャフト保持部８１は、左右方向に延びる略円筒形状を有している。シャフト保持部８１の軸線は、右筒部８０の軸線と略一致している。シャフト保持部８１は、シャフト８６を保持している。
【００９２】
シャフト８６は、金属からなる左右方向に延びる棒形状であって、左端が左方に向かうにつれて先細る形状を有している。シャフト８６の左端縁は、アース板６６に当接している。シャフト８６の右方部分は、シャフト保持部８１を挿通している。シャフト８６の右端部には、金属からなるクリップ部材８８の一端が取り付けられている。クリップ部材８８の他端は、右内側板４５Ｒに取り付けられている。
（４）コイルばね
複数のコイルばね９０のそれぞれは、図８および図９に示すように、左内側板４５Ｌと複数の感光ドラム２のそれぞれとの間に位置している。複数のコイルばね９０のそれぞれは、線材が巻回されることにより構成され、巻回部９１と、側壁側接触部９５と、係止部９２と、当接部９３とを備えている。
【００９３】
巻回部９１は、左側面視反時計周りとなる螺旋状を有している。巻回部９１の内方には、左小径部５９が位置している。巻回部９１は、左小径部５９の径方向において、左小径部５９の外周面と間隔を隔てて位置している。すなわち、巻回部９１の径方向において、巻回部９１と左小径部５９の外周面との間には隙間が生じている。また、巻回部９１の軸線は、左小径部５９の軸線と一致している。
【００９４】
側壁側接触部９５は、巻回部９１の左端に連続している。側壁側接触部９５は、巻回部９１の左端から後方に向かって延びている。側壁側接触部９５は、左内側板４５Ｌの下端部に右方から接触している。
【００９５】
係止部９２は、側壁側接触部９５の後端に連続している。係止部９２は、側壁側接触部９５の後端から左方に突出した後、後方に向かって突出するように屈曲している。係止部９２は、左内側板４５Ｌのコイル係止溝５３に係止されている。係止部９２は、コイルばね９０の他端部の一例である。
【００９６】
当接部９３は、巻回部９１の右端に連続している。当接部９３は、左側面視反時計周りとなる螺旋状を有している。当接部９３は、左大径部５７のガイド溝６５に嵌まっている。換言すれば、当接部９３はガイド溝６５に収容されている。当接部９３は、左大径部５７の径方向において、ガイド溝６５の内周面および外周面のそれぞれと間隔を隔てて位置している。すなわち、左大径部５７の径方向において、当接部９３とガイド溝６５の内周面との間、および、当接部９３とガイド溝６５の外周面との間には隙間が生じている。詳しくは、左大径部５７の径方向において、当接部９３とガイド溝６５の内周面とは、距離ｄ１を隔てている。当接部９３の右端は、ガイド溝６５に左方から接触しており、右フランジ部材５６Ｒが回転すると、ガイド溝６５に左方から摺接するように構成されている。当接部９３の右端は、コイルばね９０の一端部、および、フランジ側接触部の一例である。
【００９７】
複数のコイルばね９０のそれぞれは、その軸線方向において、負荷がない状態の自由長さから、最も圧縮された状態の密着長さまで伸縮可能である。複数のコイルばね９０のそれぞれは、自由長さから収縮し、かつ、密着長さとならない状態を保ちつつ、左内側板４５Ｌと複数の感光ドラム２のそれぞれとの間に位置している。複数のコイルばね９０のそれぞれの巻回部９１および当接部９３では、左右方向において、隣接する線材と線材との間隔が距離ｄ２である。距離ｄ２は、コイルばね９０が、自由長さのときにおける線材と線材との間隔よりも小さい。
４．感光ドラムの位置決め
上記したように、コイルばね９０においては、係止部９２が左内側板４５Ｌのコイル係止溝５３に係止される。巻回部９１の内方には左小径部５９が位置する。当接部９３の右端は、ガイド溝６５に当接する。
【００９８】
また、図１に示すように、ドラムカートリッジ１がプリンタ１０に装着されると、本体ケーシング１１に設けられる複数の本体側駆動部１００が、ドラムカートリッジ１の左方に位置する。
【００９９】
さらに、フロントカバー１４により本体ケーシング１１の前側が閉鎖されると、フロントカバー１４に連動して、複数の本体側駆動部１００のそれぞれが右方に移動する。そして、複数の本体側駆動部１００のそれぞれは、感光ドラム２のそれぞれと連結する。詳しくは、複数の本体側駆動部１００のそれぞれは、複数の駆動受け部６０のそれぞれと連結する。複数の本体側駆動部１００のそれぞれが駆動することにより、複数の感光ドラム２のそれぞれが左側面視時計回りに回転する。
【０１００】
このとき、複数の本体側駆動部１００のそれぞれは、複数の駆動受け部６０のそれぞれ、すなわち、複数の感光ドラム２のそれぞれを左方から右方に押圧する。
【０１０１】
また、複数のコイルばね９０のそれぞれは、複数の駆動受け部６０のそれぞれによって左方から右方に押圧されることにより、複数の左フランジ部材５６Ｌのそれぞれ、すなわち、複数の感光ドラム２のそれぞれを、付勢力をもって左方から右方に押圧する。これにより、複数の感光ドラム２のそれぞれは、左右方向において位置決めされる。
【０１０２】
また、複数の押圧部材６２のそれぞれは、複数の感光ドラム２のそれぞれに摺接するとともに、複数の感光ドラム２のそれぞれを前下方に押圧する。これにより、複数の感光ドラム２のそれぞれは、回転軸線方向と直交する方向において位置決めされる。
５．用紙の搬送
上記した画像形成動作において用紙Ｐが搬送されると、用紙Ｐの搬送方向上流側端縁は、複数の感光ドラム２のぞれぞれと接触する。そして、用紙Ｐは、複数の感光ドラム２のそれぞれの回転に伴って、複数の感光ドラム２のそれぞれと搬送ベルト２６との間に案内される。
【０１０３】
このとき、上記したように、複数の感光ドラム２のそれぞれは、左右方向、および、回転軸線方向と直交する方向において位置決めされる。このため、複数の感光ドラム２のそれぞれは、用紙Ｐとの接触により力が加わっても、そのがたつきが抑制される。
６．作用効果
（１）このドラムカートリッジ１によれば、図７に示すように、複数の駆動受け部６０のそれぞれは、複数の本体側駆動部１００のそれぞれと連結することで押圧力を受ける。また、複数のコイルばね９０のそれぞれは、複数の感光ドラム２のそれぞれを右方に向けて付勢する。
【０１０４】
そのため、複数の感光ドラムのそれぞれを、複数の本体側駆動部１００のそれぞれからの押圧力、および、複数のコイルばね９０のそれぞれの付勢力により、右方に向けて押圧することができる。
【０１０５】
その結果、複数の感光ドラム２のそれぞれを左右方向において確実に位置決めできる。
（２）また、このドラムカートリッジ１によれば、図７に示すように、複数のコイルばね９０のそれぞれにより複数の感光ドラム２のそれぞれを右方に押圧するため、簡易な構成で複数の感光ドラム２のそれぞれを右方に向けて押圧することができる。
（３）また、このドラムカートリッジ１によれば、図７に示すように、複数の左フランジ部材５６Ｌのそれぞれの一部は、複数のコイルばね９０のそれぞれの内方に位置している。詳しくは、複数の左小径部５９のそれぞれは、巻回部９１の内方に位置している。
【０１０６】
そのため、複数の左フランジ部材５６Ｌのそれぞれの周囲において、複数のコイルばね９０のそれぞれを効率良く配置できる。
【０１０７】
また、複数のコイルばね９０のそれぞれの軸線と複数の感光ドラム２のそれぞれの軸線とを一致させることができ、複数のコイルばね９０のそれぞれにより複数の感光ドラム２のそれぞれを安定して右方に向けて付勢できる。
（４）また、このドラムカートリッジ１によれば、図７に示すように、複数のコイルばね９０のそれぞれは、複数の左フランジ部材５６Ｌのそれぞれに当接している。詳しくは、複数の当接部９３のそれぞれは、複数のガイド溝６５のそれぞれに当接している。
【０１０８】
そのため、複数の感光ドラム２のそれぞれが回転すると、複数の感光ドラム２のそれぞれと一体的に複数の左フランジ部材５６Ｌのそれぞれが回転し、複数の当接部９３のそれぞれが複数のガイド溝６５のそれぞれに摺接する。
【０１０９】
そのため、複数の当接部９３のそれぞれと複数のガイド溝６５のそれぞれとの間に摩擦力が発生し、複数の感光ドラム２のそれぞれの回転速度の変動を抑制できる。
（５）また、このドラムカートリッジ１によれば、図７に示すように、複数の左フランジ部材５６Ｌのそれぞれは、複数の当接部９３のそれぞれと当接するガイド溝６５を有している。
【０１１０】
そのため、複数の当接部９３のそれぞれは、複数のガイド溝６５のそれぞれに沿うようにして案内される。
【０１１１】
その結果、複数の感光ドラム２のそれぞれが回転することにより複数のコイルばね９０のそれぞれの位置がずれることを抑制できる。
（６）また、このドラムカートリッジ１によれば、図６に示すように、複数のコイルばね９０のそれぞれは、左内側板４５Ｌに固定される。詳しくは、複数の係止部９２のそれぞれは、複数のコイル係止溝５３のそれぞれに係止して固定される。また、複数の当接部９３のそれぞれは、複数のガイド溝６５のそれぞれに当接する。
【０１１２】
そのため、複数の感光ドラム２のそれぞれと複数の左フランジ部材５６Ｌのそれぞれとが一体的に回転すると、複数のコイルばね９０のそれぞれは、フレーム４１に対して固定される。また、複数の当接部９３のそれぞれは、複数のガイド溝６５のそれぞれに摺接する。
【０１１３】
その結果、複数のコイルばね９０のそれぞれと複数の左フランジ部材５６Ｌのそれぞれとの間に確実に摩擦力を発生させることができる。
（７）また、このドラムカートリッジ１によれば、図９に示すように、複数のコイルばね９０の左側面視における巻回方向は、感光ドラム２の回転方向と反対方向である。
【０１１４】
そのため、複数の左フランジ部材５６Ｌのそれぞれが複数のコイルばね９０のそれぞれによって締め付けられることを抑制できる。
【０１１５】
その結果、複数の感光ドラム２のそれぞれのトルクが過度に大きくなることを抑制できる。
（８）また、このドラムカートリッジ１によれば、複数のコイルばね９０のそれぞれは、複数の左フランジ部材５６Ｌのそれぞれの外周面と間隔を隔てて位置している。
【０１１６】
そのため、複数のコイルばね９０のそれぞれによって複数の感光ドラム２のそれぞれを右方に向けて効率的に押圧できる。
（９）また、このドラムカートリッジ１によれば、複数のコイルばね９０のそれぞれは、自由長さよりも収縮した状態で、複数の左フランジ部材５６Ｌのそれぞれと左内側板４５Ｌとの間に配置される。
【０１１７】
そのため、左右方向において、複数のコイルばね９０のそれぞれの弾性力を確保できる。
（１０）また、このドラムカートリッジ１によれば、図５に示すように、複数の感光ドラム２のそれぞれは、複数の押圧部材６２のそれぞれによって回転軸線方向と直交する方向に押圧されている。
【０１１８】
そのため、回転軸線方向と直交する方向において、複数の感光ドラム２のそれぞれを複数の押圧部材のそれぞれにより押圧して位置決めできる。
【０１１９】
その結果、複数の感光ドラム２のそれぞれが回転軸線方向と直交する方向においてがたつくことを抑制できる。
（１１）また、このドラムカートリッジ１によれば、図４に示すように、複数の左フランジ部材５６Ｌのそれぞれは、左内側板４５Ｌに取り付けられる複数の左軸受４３Ｌによって支持される。
【０１２０】
そのため、複数の感光ドラム２のそれぞれは、複数の左軸受４３Ｌのそれぞれによって、安定的に軸支される。
７．変形例
図１０を参照して、ドラムカートリッジの変形例を説明する。なお、この変形例において、上記した実施形態と同様の部材には同様の符号を付し、その説明を省略する。
【０１２１】
上記した実施形態では、複数のコイルばね９０のそれぞれの内方には、複数の左フランジ部材５６Ｌのそれぞれが位置する。また、複数の係止部９２のそれぞれは、左内側板４５Ｌに係止し、複数の当接部９３のそれぞれは、複数のガイド溝６５のそれぞれに当接する。これにより、複数の感光ドラム２のそれぞれは、複数のコイルばね９０のそれぞれによって左方から右方に向かって押圧される。
【０１２２】
対して、この変形例では、複数のコイルばね９０にかえて、複数の板ばね１１０を備えている。
【０１２３】
複数の板ばね１１０のそれぞれは、側面視略板形状を有している。複数の板ばね１１０のそれぞれは、一端が左内側板４５Ｌの右端面に当接し、他端が複数の左フランジ部材５６Ｌのそれぞれに当接している。詳しくは、複数の板ばね１１０のそれぞれの他端は、複数の左大径部５７のそれぞれの左端に当接している。
【０１２４】
このような構成によれば、複数の感光ドラム２のそれぞれは、複数の板ばね１１０のそれぞれによって、左方から右方に押圧される。
【０１２５】
そのため、複数の感光ドラム２のそれぞれを左右方向において確実に位置決めできる。
【０１２６】
また、簡易な構成により、複数の感光ドラム２のそれぞれを左方から右方に向かって押圧できる。
【符号の説明】
【０１２７】
１      ドラムカートリッジ
２      感光ドラム
１０    プリンタ
４１    フレーム
４３    軸受
４３Ｌ  左軸受
４５    内側板
４５Ｌ  左内側板
４５Ｒ  右内側板
５６Ｌ  左フランジ部材
６０    駆動受け部
６２    押圧部材
９０    コイルばね
９１    巻回部
９２    係止部
９３    当接部
１００  本体側駆動部
１１０  板ばね
【図１】
2015055704.tif 000003
【図２】
2015055704.tif 000004
【図３】
2015055704.tif 000005
【図４】
2015055704.tif 000006
【図５】
2015055704.tif 000007
【図６】
2015055704.tif 000008
【図７】
2015055704.tif 000009
【図８】
2015055704.tif 000010
【図９】
2015055704.tif 000011
【図１０】
2015055704.tif 000012